(57)【要約】【課題】特定情報が印字された紙片の取り忘れを抑制しつつ、代金支払機の円滑な運用を図ることを可能とするＰＯＳシステムを提供する。【解決手段】ＰＯＳシステム１は、商品の登録処理を実行する商品登録機２０と、登録処理の実行によって生成された代金データに基づいて代金の支払処理を実行する代金支払機３０と、を備える。代金支払機３０は、支払処理に関連する情報が印字されたレシート類が発行される発行部３０９ａと、発行されたレシート類の有無を検知する紙片検知部３０９ｂと、情報の中に特定情報が含まれているか否かを判定し、情報に特定情報が含まれると判定された場合に、紙片検知部３０９ｂにおける検知状況を監視するＣＰＵ３０１と、紙片検知部３０９ｂにおける検知状況に基づいてＣＰＵ３０１によってレシート類の取り忘れが検出された場合に、当該取り忘れを報知するスピーカ３１１と、を有する。【選択図】図１
2017027226.tif 000002
【特許請求の範囲】
【請求項１】
商品の登録処理を実行する商品登録機と、
前記登録処理の実行によって生成された代金データに基づいて代金の支払処理を実行する代金支払機と、を備え、
前記代金支払機は、
前記支払処理に関連する情報が印字された紙片が発行される発行部と、
前記発行部に発行された前記紙片の有無を検知する紙片検知部と、
前記紙片に印字された前記情報の中に特定情報が含まれているか否かを判定し、前記情報に前記特定情報が含まれると判定された場合に、前記紙片検知部における検知状況を監視する監視部と、
前記監視部によって前記紙片の取り忘れが検出された場合に、当該取り忘れを報知する報知部と、
を有する、ＰＯＳシステム。
【請求項２】
前記監視部は、
前記発行部に前記紙片が発行されてから一定時間経過後の前記紙片検知部における前記紙片の検知に基づいて、前記紙片の取り忘れを検出する、請求項１記載のＰＯＳシステム。
【請求項３】
前記代金支払機は、
前記代金支払機において支払処理をする客を検知する人検知部を更に有し、
前記監視部は、
前記紙片が発行された後、前記紙片検知部が前記紙片を検知している状態において、前記人検知部が前記客の検知をしなくなったことに基づいて前記紙片の取り忘れを検出する、請求項１又は２記載のＰＯＳシステム。
【請求項４】
前記特定情報は、前記代金支払機において支払処理をする客の個人情報と、金銭的価値のある情報と、の少なくとも一方を含む、請求項１〜３の何れか一項記載のＰＯＳシステム。
【請求項５】
前記商品登録機は、店員によって操作され、
前記代金支払機は、客によって操作される、請求項１〜４の何れか一項記載のＰＯＳシステム。
【発明の詳細な説明】
【技術分野】
【０００１】
本発明は、ＰＯＳ（Point of Sales）システムに関する。
【背景技術】
【０００２】
従来、商品の登録処理を実行する商品登録機と、登録処理の実行によって生成された代金データに基づいて代金の支払処理を実行する代金支払機と、支払処理の実行によって生成された支払データに基づいてレシート類等の紙片を発行口から発行する印刷部と、印刷部の発行口から紙片が取り除かれたか否かを判定する制御部と、を備えるＰＯＳシステムが知られている（例えば、特許文献１参照）。このＰＯＳシステムでは、制御部によって紙片が取り除かれていないと判定した場合、取り忘れの旨の報知を行うと共に、支払処理の次の処理を実行せずに待機する。
【先行技術文献】
【特許文献】
【０００３】
【特許文献１】特開２０１４−１４６３８６号公報
【発明の概要】
【発明が解決しようとする課題】
【０００４】
一般的に、紙片に印字される情報の中に特定情報（例えば、クレジットカード又は電子マネーによる決済をした場合の会員番号、会員氏名、承認番号及び有効期限等の個人情報、クーポン券又は値引き券等の金銭的価値のある情報、等）が含まれている場合には、当該紙片の取り忘れを抑制することが望ましい。しかしながら、上記従来のＰＯＳシステムでは、紙片が取り除かれていないと判定した場合には、特定情報の有無にかかわらず一律に報知及び待機を行う。このため、代金支払機の処理が中断されてしまい、代金支払機の円滑な運用を妨げる場合がある。
【０００５】
そこで、本発明は、特定情報が印字された紙片の取り忘れを抑制しつつ、代金支払機の円滑な運用を図ることを可能とするＰＯＳシステムを提供することを目的とする。
【課題を解決するための手段】
【０００６】
本発明のＰＯＳシステムは、商品の登録処理を実行する商品登録機と、登録処理の実行によって生成された代金データに基づいて代金の支払処理を実行する代金支払機と、を備え、代金支払機は、支払処理に関連する情報が印字された紙片が発行される発行部と、発行部に発行された紙片の有無を検知する紙片検知部と、紙片に印字された情報の中に特定情報が含まれているか否かを判定し、情報に特定情報が含まれると判定された場合に、紙片検知部における検知状況を監視する監視部と、監視部によって紙片の取り忘れが検出された場合に、当該取り忘れを報知する報知部と、を有する。
【０００７】
このＰＯＳシステムでは、紙片の中に特定情報が含まれている場合には、紙片の取り忘れが監視され、紙片の取り忘れが検出された場合にはその旨が客に報知される。これにより、特定情報が印字された紙片の取り忘れを抑制できる。一方、紙片の中に特定情報が含まれていない場合には、紙片検知部が監視されることもなく、取り忘れが報知されることもない。これにより、特定情報を含まない、例えば、わざと放置されるような可能性の高い紙片に対し、取り忘れを報知し続けるようなことがなくなる。その結果、特定情報が印字された紙片の取り忘れを抑制しつつ、代金支払機の円滑な運用を図ることが可能となる。
【０００８】
本発明のＰＯＳシステムでは、監視部は、発行部に紙片が発行されてから一定時間経過後の紙片検知部における紙片の検知に基づいて、紙片の取り忘れを検出してもよい。
【０００９】
この構成のＰＯＳシステムでは、発行部に紙片が発行されてから一定時間経過後に発行部に紙片が残っている場合、紙片が取り忘れられている可能性が高いことを利用して、特定情報が印字された紙片の取り忘れを好適に抑制できる。
【００１０】
本発明のＰＯＳシステムでは、代金支払機は、代金支払機において支払処理をする客を検知する人検知部を更に有し、監視部は、紙片が発行された後、紙片検知部が紙片を検知している状態において、人検知部が客の検知をしなくなったことに基づいて紙片の取り忘れを検出してもよい。
【００１１】
この構成のＰＯＳシステムでは、紙片検知部が紙片を検知している状態において、人検知部が検知していた客が検知されなくなった場合、紙片が取り忘れられている可能性が高いことを利用して、特定情報が印字された紙片の取り忘れを好適に抑制できる。
【００１２】
本発明のＰＯＳシステムでは、特定情報は、代金支払機において支払処理をする客の個人情報と、金銭的価値のある情報と、の少なくとも一方を含んでもよい。
【００１３】
この構成のＰＯＳシステムでは、代金支払機において支払処理をする客の個人情報、金銭的価値のある情報等が印字された紙片の取り忘れを抑制できる。
【００１４】
本発明のＰＯＳシステムでは、商品登録機は、店員によって操作され、代金支払機は、客によって操作されてもよい。
【００１５】
この構成のＰＯＳシステムでは、セミオート式のＰＯＳシステムにおいて、特定情報が印字された紙片の取り忘れを抑制しつつ、客が操作を行う代金支払機の円滑な運用を図ることが可能となる。
【発明の効果】
【００１６】
本発明によれば、特定情報が印字された紙片の取り忘れを抑制しつつ、代金支払機の円滑な運用を図ることが可能となる。
【図面の簡単な説明】
【００１７】
【図１】本発明の一実施形態のＰＯＳシステムの構成を示すブロック図である。
【図２】図１のＰＯＳシステムの商品登録機の構成を示すブロック図である。
【図３】図２の商品登録機の外観斜視図である。
【図４】図１のＰＯＳシステムの代金支払機の構成を示すブロック図である。
【図５】図４の代金支払機の外観斜視図である。
【図６】図１のＰＯＳシステムによるレシート類の取り忘れの検出例を示す図である。
【図７】レシート類の一例を示す図である。
【図８】レシート類の他の例を示す図である。
【発明を実施するための形態】
【００１８】
以下、図面を参照して一実施形態について説明する。図面の説明において、同一要素には同一符号を付し、重複する説明を省略する。図面の寸法比率は、説明のものと必ずしも一致していない。
〔ＰＯＳシステムの構成〕
【００１９】
図１に示されるように、ＰＯＳシステム１は、ストアコントローラ１０と、複数の商品登録機２０と、複数の代金支払機３０と、を備えている。ストアコントローラ１０、各商品登録機２０及び各代金支払機３０は、有線又は無線のＬＡＮ（Local Area Network）２によって相互に接続されている。ＰＯＳシステム１は、スーパーマーケット等の店舗に構築されたＰＯＳシステムである。ＰＯＳシステム１は、セミオート式のＰＯＳシステムである。つまり、ＰＯＳシステム１において、各商品登録機２０は、店員によって操作され、商品の登録処理を実行し、各代金支払機３０は、客によって操作され、登録処理を実行することによって生成された代金データに基づいて代金の支払処理を実行する。なお、店員は、ＰＯＳシステム１が導入されている店舗の従業者等及び使用者等を含み、広義には、当該店舗の関係業者を含む。客とは、商品を購入する及び／又は購入した者を含み、広義には、店舗に対して代金の授受を行う及び／又は行った者を含む。なお、ＰＯＳシステム１は、セミオート式のＰＯＳシステムに限定されず、各商品登録機２０及び各代金支払機３０が客によって操作されるフルオート式のＰＯＳシステムであってもよい。
【００２０】
後述するように、各代金支払機３０では、客が代金の支払いを行った際に、客に対し、当該支払処理に関連する情報を紙片に印字（印刷）して当該紙片（以後、「レシート類」とも称する）を発行する。支払処理に関連する情報には、例えば、購入した商品の一覧、各商品の金額、合計金額、及び受領金額及び釣り金額が含まれる。
【００２１】
通常、図７（ａ）に示されるように、例えば現金決済をした場合において発行されるレシート類には、購入した商品の一覧、各商品の金額、合計金額、及び受領金額及び釣り金額が、支払処理に関連する情報として印字される。
【００２２】
このようなレシート類に印字された支払処理に関連する情報の中には、特定情報が含まれている場合がある。特定情報は、代金支払機３０において支払処理をする客の個人情報と、金銭的価値のある情報と、の少なくとも一方を含む。個人情報としては、例えば、クレジットカード又は電子マネー等による決済をした場合の会員番号、会員氏名、承認番号及び有効期限（図８（ａ）参照）等が挙げられる。金銭的価値のある情報としては、例えば、次回の支払い時に値引きを受けることができる値引き券（図７（ｂ）参照）、次回の支払い時に利用可能なクーポン券（図８（ｂ）参照）等が挙げられる。
〔ストアコントローラ１０〕
【００２３】
ストアコントローラ１０は、ＰＯＳシステム１を制御するコンピュータであり、商品マスタ等の種々の情報を管理する。ストアコントローラ１０は、各商品登録機２０及び各代金支払機３０と通信可能であり、各商品登録機２０及び各代金支払機３０に商品マスタを適宜送信する。商品マスタとは、各商品についての商品情報（商品の識別情報、並びに、商品名称及び販売価格に関する情報等）を格納したファイルである。商品マスタは、適宜更新される。
〔商品登録機２０〕
【００２４】
次に、商品登録機２０について説明する。図２に示されるように、商品登録機２０は、ＣＰＵ（Central Processing Unit）２０１と、ＲＯＭ（Read Only Memory）２０２と、ＲＡＭ（Random Access Memory）２０３と、スキャナ２０４と、店員用表示部２０５と、客用表示部２０６と、操作部２０７と、通信部２０８と、スピーカ２０９と、印刷部２１０と、を備えている。これらは、バス２１５によって相互に接続されている。なお、商品登録機２０の外観は、図３に示されるとおりである。
【００２５】
ＣＰＵ２０１は、ＲＯＭ２０２に記憶されているプログラムを読み出して実行することにより、商品登録機２０の動作を制御する。ＲＯＭ２０２は、商品登録機２０の動作を制御するためのプログラムを記憶している。ＲＡＭ２０３は、ストアコントローラ１０から送信された商品マスタ、スキャナ２０４によって読み取られたバーコード（商品コード）に基づいて商品マスタから取得された商品情報、及び操作履歴に関する情報等を随時記憶する。
【００２６】
スキャナ２０４は、商品に付されているバーコード等を光学的に読み取る。店員用表示部２０５は、店員に対し、スキャナ２０４によって読み取られたバーコードに対応する商品名称及び販売価格等を表示する。客用表示部２０６は、客に対し、スキャナ２０４によって読み取られたバーコードに対応する商品名称及び販売価格等を表示する。なお、店員用表示部２０５及び客用表示部２０６は、タッチパネルを構成することで、操作部としても機能する。
【００２７】
操作部２０７は、商品登録機２０を動作させるための各種の操作ボタン（小計キー、現計キー、置数キー、訂正キー及びプリセットキー等）を有している。通信部２０８は、ＬＡＮ２を介して他の機器と通信を行う。スピーカ２０９は、商品登録機２０の操作音、及び各種の音声等を出力する。印刷部２１０は、適宜、各種の文字等を印刷した紙片（会計券）を発行する。
【００２８】
以上のように構成された商品登録機２０においては、店員による操作の下、客が購入しようとしている商品に付されたバーコードがスキャナ２０４によって読み取られると、ＣＰＵ２０１によって商品マスタから商品情報が取得されて代金データが生成される（登録処理の実行）。代金データには、客が購入しようとしている全ての商品についての単価及び数量、並びに、合計金額等に関する情報が含まれている。
【００２９】
そして、生成された代金データがいずれか１つの代金支払機３０によって取得されると、客に対し、複数の代金支払機３０のうち代金データを取得した代金支払機３０（すなわち、客が代金の支払いを行うべき代金支払機３０）が報知される。具体的には、客用表示部２０６は、例えば、各代金支払機３０に付された識別番号のうち、代金データを取得した代金支払機３０の識別番号を表示する。印刷部２１０は、代金データを取得した代金支払機３０の識別番号、及び代金データの識別情報を示すバーコード等を印刷した会計券を発行する。
〔代金支払機３０〕
【００３０】
次に、代金支払機３０について説明する。図４に示されるように、代金支払機３０は、ＣＰＵ（監視部）３０１と、ＲＯＭ３０２と、ＲＡＭ３０３と、スキャナ３０４と、表示部（報知部）３０５と、操作部３０７と、通信部３０８と、発行部３０９ａ及び紙片検知部３０９ｂを有する印刷部３０９と、決済部３１０と、スピーカ（報知部）３１１と、サインポール（報知部）３１２と、人検知センサ（人検知部）３１３と、カメラ（人検知部）３１４と、を備えている。これらは、バス３２０によって相互に接続されている。なお、代金支払機３０の外観は、図５に示されるとおりである。
【００３１】
ＣＰＵ３０１は、ＲＯＭ３０２に記憶されているプログラムを読み出して実行することにより、代金支払機３０の動作を制御する。ＲＯＭ３０２は、代金支払機３０の動作を制御するためのプログラムを記憶している。ＲＡＭ３０３は、ストアコントローラ１０から送信された商品マスタ及び操作履歴に関する情報、紙片に印字する情報、等を随時記憶する。
【００３２】
ＣＰＵ３０１は、客が代金の支払いを行った際に、当該支払いの内容に基づいて紙片に印字する情報（支払処理に関連する情報）を生成する。ＣＰＵ３０１は、レシート類に印字された情報の中に特定情報が含まれているか否かを判定する。ＣＰＵ３０１は、レシート類に印字された情報に特定情報が含まれると判定された場合に、紙片検知部３０９ｂにおける検知状況を監視する。すなわち、本実施形態のＣＰＵ３０１は、紙片検知部３０９ｂにおける検知状況を監視する監視部として機能する。ＣＰＵ３０１は、監視した紙片検知部３０９ｂにおける検知状況に基づいて、レシート類の取り忘れを検出する。
【００３３】
具体的には、ＣＰＵ３０１は、発行部３０９ａにレシート類が発行されてから一定時間経過後の紙片検知部３０９ｂにおけるレシート類の検知に基づいて、レシート類の取り忘れを検出する。また、ＣＰＵ３０１は、レシート類が発行された後、紙片検知部３０９ｂがレシート類を検知している状態において、人検知部が客の検知をしなくなったことに基づいてレシート類の取り忘れを検出してもよい（詳しくは後述する。）。
【００３４】
スキャナ３０４は、代金支払機３０から出力された会計券に印刷されたバーコード等を光学的に読み取る。表示部３０５は、主に代金支払機３０を操作している客に対して文字及び画像等表示する画面（例えばタッチパネル）を有する。表示部３０５は、客が代金の支払いを行うための操作手順等を表示する。操作部３０７は、代金支払機３０を動作させるための各種の操作ボタン（訂正キー及びプリセットキー等）を有している。通信部３０８は、ＬＡＮ２を介して他の機器と通信を行う。
【００３５】
印刷部３０９は、発行部３０９ａと、紙片検知部３０９ｂとを有する。発行部３０９ａは、例えば、代金支払機３０の表面に開口すると共に、代金支払機３０に埋め込まれたプリンタである。発行部３０９ａは、ＣＰＵ３０１によって生成された情報を紙片に印字すると共に、支払処理に関連する情報を印字した当該紙片（レシート類）を発行する。発行部３０９ａは、紙片検知部３０９ｂによって検知される位置までレシート類を送出することで、レシート類を発行する。
【００３６】
紙片検知部３０９ｂは、発行部３０９ａに発行されたレシート類の有無を検知する。紙片検知部３０９ｂは、例えば、発行部３０９ａに設けられた光照射部及び受光部（不図示）を含んで構成される。紙片検知部３０９ｂは、例えば、光照射部が受光部に向けて照射した光が発行されたレシート類によって遮断されているか否かに基づいて、発行されたレシート類の有無を検知する。
【００３７】
紙片検知部３０９ｂは、光照射部及び受光部を含む態様に限定されず、例えば、発行されたレシート類が物理的にスイッチに当たることによって断接されるスイッチを含む態様であってもよい。紙片検知部３０９ｂとしては、その他一般的なセンサを用いることができる。紙片検知部３０９ｂは、例えば、発行されたレシート類の有無を示す信号を、紙片検知部３０９ｂにおける検知状況としてＣＰＵ３０１に送信する。
【００３８】
決済部３１０は、紙幣投入兼排出口３１０ａ、硬貨投入口３１０ｂ、硬貨排出口３１０ｃ、クレジットカード投入兼排出口３１０ｄ及び電子マネーリーダ３１０ｅ、並びに、それらを制御する制御部（図示省略）を有している。紙幣投入兼排出口３１０ａ、硬貨投入口３１０ｂ及び硬貨排出口３１０ｃは、現金決済部として機能する。客は、紙幣投入兼排出口３１０ａ等の現金決済部を介した現金での代金の支払いと、クレジットカードリーダを介したクレジットカードでの代金の支払いと、電子マネーリーダを介した電子マネーでの代金の支払いと、の少なくとも１つを選択することができる。
【００３９】
スピーカ３１１は、例えば表示部３０５に並設されており、主に代金支払機３０を操作している客に対して音声を出力する。スピーカ３１１は、代金支払機３０の操作音、及び各種の音声等を出力する。スピーカ３１１は、例えば、客によって代金の支払いが行われると、支払い処理の終了を示す音声（例えば「お釣りとレシートとをお取りください」等）を客に対して出力する。
【００４０】
サインポール３１２は、例えば、代金支払機３０から上方に延びる支柱と、支柱の上端部に設けられた複数色の表示灯を有する。サインポール３１２は、表示灯を点灯又は点滅させることで、客が代金の支払いを行うための操作の実行が可能であること、及び、その他何らかの異常が発生していること等を報知する。
【００４１】
代金支払機３０では、ＣＰＵ３０１によってレシート類の取り忘れが検出された場合に、表示部３０５と、スピーカ３１１と、サインポール３１２と、のうちの少なくとも１つを、当該取り忘れを報知する報知部として機能させることができる。具体的には、表示部３０５は、ＣＰＵ３０１によってレシート類の取り忘れが検出された場合、例えば客に対してレシート類の取り忘れが生じている旨を表示する。表示部３０５は、例えば、レシート類の取り忘れが生じている旨を文字又は画像として画面に表示してもよいし、画面の表示色を赤色や黄色等の客の注意を向けさせる色に変更することで取り忘れが生じている旨を表示してもよい。
【００４２】
スピーカ３１１は、ＣＰＵ３０１によってレシート類の取り忘れが検出された場合、当該取り忘れを示す音声を客又は店員に対して出力する。取り忘れを示す音声としては、例えば「レシートを忘れずにお取りください！」等の音声であってもよい。スピーカ３１１は、支払い処理の終了を示す音声よりも取り忘れを示す音声を強調してもよい。スピーカ３１１は、例えば、音声の音量を大きくすること、及び音声の口調を強くすることにより、取り忘れを示す音声を強調することができる。
【００４３】
サインポール３１２は、例えば表示灯を点灯又は点滅させることで、レシート類の取り忘れが生じていることを報知する。サインポール３１２は、例えば表示灯を赤色や黄色等の客又は店員の注意を向けさせる色で点灯又は点滅させることで、レシート類の取り忘れが生じていることを報知してもよい。
【００４４】
なお、商品登録機２０の店員用表示部２０５を報知部として機能させることもできる。店員用表示部２０５は、ＣＰＵ３０１によってレシート類の取り忘れが検出された場合に、バス３２０及びバス２１５を介して取り忘れが生じていることを示す信号を受信し、その旨を店員に対して表示してもよい。
【００４５】
人検知センサ３１３は、代金支払機３０前の所定領域内に存在する客等を検知する。人検知センサ３１３は、例えば光電管式等、一般的なものを用いることができる。人検知センサ３１３は、代金支払機３０において支払処理をする客を検知する人検知部として機能する。カメラ３１４は、代金支払機３０前の所定領域内に存在する客等を撮像する。なお、カメラ３１４も、カメラ３１４によって撮像される画像又は映像から人を抽出するプログラム等を用いることにより、人検知部として機能させることができる。
〔ＰＯＳシステムの動作例〕
【００４６】
以上のように構成された代金支払機３０においては、登録処理の実行によって生成された代金データがＣＰＵ３０１によって取得されると、客に対し、代金データを取得した代金支払機３０（すなわち、客が代金の支払いを行うべき代金支払機３０）が自機であることが報知される。代金支払機３０では、例えば、表示部３０５による文字等の表示、スピーカ３１１による音声の出力、及びサインポール３１２による表示灯の点灯等によって、代金データを取得した代金支払機３０が自機であることが報知される。
【００４７】
客は、商品登録機２０による報知、及び代金データを取得した代金支払機３０による報知に従って、代金データを取得した代金支払機３０に向かう。そして、代金支払機３０前の所定領域内に入った客が人検知センサ３１３によって検知されると、客が代金の支払いを行うための操作手順の表示が表示部３０５によって開始される。このとき、例えば、操作手順を示す音声の出力もスピーカ３１１によって開始される。
【００４８】
客は、表示部３０５による表示、及びスピーカ３１１による音声の出力に従って、操作部３０７、及びタッチパネルを構成する表示部３０５を介して代金支払機３０を操作し、代金の支払いを行う。具体的には、客が、商品登録機２０において発行された会計券に印刷されたバーコードをスキャナ３０４に読み取らせると、決済種別を選択するための選択画面が表示部３０５によって表示される。客は、表示部３０５において、現金、クレジットカード及び電子マネーのいずれかの決済種別、又は併用する複数の決済種別を選択し、決済部３１０において、選択した決済種別での支払いを行う。
【００４９】
客によって代金の支払いが行われると、支払処理に関連する情報が印字されたレシート類が発行部３０９ａによって発行される。レシート類が発行部３０９ａによって発行されると、レシート類に印字された情報の中に特定情報が含まれているか否かがＣＰＵ３０１によって判定される。レシート類に印字された情報の中に特定情報が含まれると判定された場合には、紙片検知部３０９ｂにおける検知状況がＣＰＵ３０１によって監視される。レシート類の取り忘れがＣＰＵ３０１によって検出された場合には、当該取り忘れが報知部（表示部３０５と、スピーカ３１１と、サインポール３１２と、のうちの少なくとも１つ）によって客又は店員に報知される。
【００５０】
〔レシート類の取り忘れの検出処理〕
次に、図６（ａ）及び図６（ｂ）を参照して、レシート類の取り忘れの検出処理の例について説明する。図６（ａ）及び図６（ｂ）におけるレシート類の取り忘れの検出処理は、客によって代金の支払いが行われると開始される。なお、このとき、人検知センサ３１３によって支払いを行っている客が検知されている状態である。
【００５１】
まず、発行部３０９ａにレシート類が発行されてから一定時間経過後に発行部３０９ａにレシート類が残っている場合、レシート類が取り忘れられている可能性が高いことを利用して、レシート類の取り忘れを検出する例（第１検出処理）について、図６（ａ）を用いて説明する。客が代金の支払いを行った際に、発行部３０９ａによって当該支払処理に関連する情報が紙片に印字される（ステップＳ１）。情報が印字された紙片は、発行部３０９ａによって、支払いを行った客に対してレシート類として発行される（ステップＳ２）。続いて、ＣＰＵ３０１によって、レシート類に印字された情報の中に特定情報が含まれているか否かが判定される（ステップＳ３）。
【００５２】
ステップＳ３において、レシート類に印字された情報の中に特定情報が含まれていないとＣＰＵ３０１によって判定された場合（ステップＳ３：ＮＯ）、そのまま処理が終了される。この場合、レシート類に印字された情報の中に特定情報が含まれていないため、例えば、レシート類がわざと放置されるような可能性が高い。よって、紙片検知部３０９ｂが監視されることもなく、レシート類の取り忘れが報知されることもない。
【００５３】
一方、ステップＳ３において、レシート類に印字された情報の中に特定情報が含まれているとＣＰＵ３０１によって判定された場合、（ステップＳ３：ＹＥＳ）、ＣＰＵ３０１によって紙片検知部３０９ｂにおけるレシート類の検知状況が監視されると共に、図示しないタイマー等によって時間の計測が開始される（ステップＳ４）。
【００５４】
タイマーによって計測される時間が一定時間（例えば、５秒）を経過した場合（以後、単に「一定時間経過後」とも称する。）に、紙片検知部３０９ｂがレシート類（紙片）を検知しているか否かがＣＰＵ３０１によって判定される（ステップＳ５）。すなわち、ＣＰＵ３０１は、発行部３０９ａにレシート類が発行されてから一定時間経過後の紙片検知部３０９ｂにおけるレシート類の検知に基づいて、レシート類の取り忘れを検出する。なお、図６（ａ）に示される用第１検出処理においては、タイマーによって計測される時間が一定時間を経過するまでは、ステップＳ５の処理を行わない。
【００５５】
ステップＳ５において、一定時間経過後に紙片検知部３０９ｂがレシート類を検知していないとＣＰＵ３０１によって判定された場合（ステップＳ５：ＮＯ）、そのまま処理が終了される。この場合、レシート類が発行部３０９ａからすでに取り除かれていると考えられる。そのため、レシート類の取り忘れが報知されない。
【００５６】
一方、ステップＳ５において、一定時間経過後に紙片検知部３０９ｂがレシート類を検知しているとＣＰＵ３０１によって判定された場合（ステップＳ５：ＹＥＳ）、支払処理をする客を人検知センサ３１３が検知しているか否かがＣＰＵ３０１によって判定される（ステップＳ６）。
【００５７】
ステップＳ６において、支払処理をする客を人検知センサ３１３が検知しているとＣＰＵ３０１によって判定された場合（ステップＳ６：ＹＥＳ）、ステップＳ５に移行される。この場合、支払処理をした客が代金支払機３０の前にいるため、客がレシート類を発行部３０９ａから取り除く可能性があると考えられる。そのため、現時点ではレシート類の取り忘れを報知する必要がなく、ＣＰＵ３０１による紙片検知部３０９ｂの監視が維持される。
【００５８】
一方、ステップＳ６において、支払処理をする客を人検知センサ３１３が検知していないとＣＰＵ３０１によって判定された場合（ステップＳ６：ＮＯ）、客がレシート類を取り忘れたと考えられる。そこで、報知部によって当該取り忘れが報知される（ステップＳ７）。すなわち、ＣＰＵ３０１は、レシート類が発行された後、発行部３０９ａにレシート類が発行されてから一定時間経過後に紙片検知部３０９ｂがレシート類を検知している状態において、人検知センサ３１３が客の検知をしなくなったことに基づいてレシート類の取り忘れを検出する。上記ステップＳ７の後、例えば、レシート類が発行部３０９ａから取り除かれるまでＣＰＵ３０１による紙片検知部３０９ｂの監視を維持するため、ステップＳ５に移行される。
【００５９】
なお、図６（ａ）に示される第１検出処理においてステップＳ６の処理を省略してもよい。つまり、一定時間経過後に紙片検知部３０９ｂがレシート類を検知しているとＣＰＵ３０１によって判定された場合（ステップＳ５：ＹＥＳ）、報知部によって当該取り忘れが報知されてもよい（ステップＳ７）。この場合においても、特定情報が印字されたレシート類の取り忘れを抑制しつつ、代金支払機３０の円滑な運用を図ることが可能となる。ただし、ステップＳ６の処理を行う場合の方が、ステップＳ６の処理を省略する場合よりも、よりレシート類の取り忘れの検知精度を高めることができる。
【００６０】
次に、紙片検知部３０９ｂがレシート類を検知している状態において、人検知センサ３１３が検知していた客が検知されなくなった場合、レシート類が取り忘れられている可能性が高いことを利用して、レシート類の取り忘れを検出する例（第２検出処理）について、図６（ｂ）を用いて説明する。
【００６１】
図６（ｂ）の例におけるステップＳ１〜ステップＳ３の処理は、図６（ａ）の例と同様に実行される。ステップＳ３において、レシート類に印字された情報の中に特定情報が含まれているとＣＰＵ３０１によって判定された場合、図６（ａ）の例と異なり、タイマー等によって時間の計測が開始されることなく、ＣＰＵ３０１によって紙片検知部３０９ｂにおけるレシート類の検知状況が監視される（ステップＳ１１）。続いて、紙片検知部３０９ｂがレシート類（紙片）を検知しているか否かがＣＰＵ３０１によって監視（判定）される（ステップＳ１２）。
【００６２】
ステップＳ１２において、紙片検知部３０９ｂがレシート類を検知していないとＣＰＵ３０１によって判定された場合（ステップＳ１２：ＮＯ）、そのまま処理が終了される。この場合、レシート類が発行部３０９ａからすでに取り除かれていると考えられる。そのため、レシート類の取り忘れが報知されない。一方、ステップＳ１２において、紙片検知部３０９ｂがレシート類を検知しているとＣＰＵ３０１によって判定された場合（ステップＳ１２：ＹＥＳ）、人検知センサ３１３が支払処理をする客を検知しているか否かがＣＰＵ３０１によって判定される（ステップＳ１３）。
【００６３】
ステップＳ１３において、人検知センサ３１３が支払処理をする客を検知していないとＣＰＵ３０１によって判定された場合（ステップＳ１３：ＮＯ）、客がレシート類を取り忘れて立ち去ったものと考えられる。そこで、報知部によって当該取り忘れが報知される（ステップＳ１４）。すなわち、ＣＰＵ３０１は、レシート類が発行された後、紙片検知部３０９ｂがレシート類を検知している状態において、人検知センサ３１３が客の検知をしなくなったことに基づいてレシート類の取り忘れを検出する。上記ステップＳ１４の後、例えば、レシート類が発行部３０９ａから取り除かれるまでＣＰＵ３０１による紙片検知部３０９ｂの監視を維持するため、ステップＳ１２に移行される。
【００６４】
〔作用効果〕
上記実施形態のＰＯＳシステム１では、ＣＰＵ３０１によってレシート類の中に特定情報が含まれていると判定された場合には、ＣＰＵ３０１によってレシート類の取り忘れが監視される。ＣＰＵ３０１によってレシート類の取り忘れが検出された場合には、報知部（スピーカ３１１と、サインポール３１２と、表示部３０５と、のうちの少なくとも１つ）によってその旨が客に報知される。これにより、特定情報が印字されたレシート類の取り忘れを抑制できる。一方、ＣＰＵ３０１によってレシート類の中に特定情報が含まれていないと判定された場合には、紙片検知部３０９ｂが監視されることもなく、報知部によって取り忘れが報知されることもない。これにより、特定情報を含まない、例えば、わざと放置されるような可能性の高いレシート類に対し、取り忘れを報知し続けるようなことがなくなる。その結果、特定情報が印字されたレシート類の取り忘れを抑制しつつ、代金支払機３０の円滑な運用を図ることが可能となる。
【００６５】
上記実施形態のＰＯＳシステム１では、発行部３０９ａにレシート類が発行されてから一定時間経過後の紙片検知部３０９ｂにおけるレシート類の検知に基づいて、レシート類の取り忘れが検出される（第１検出処理）。このように一定時間経過後に発行部３０９ａにレシート類が残っている場合、レシート類が取り忘れられている可能性が高いことを利用して、特定情報が印字されたレシート類の取り忘れを好適に抑制できる。
【００６６】
上記実施形態のＰＯＳシステム１では、発行部３０９ａにレシート類が発行された後、紙片検知部３０９ｂがレシート類を検知している状態において、人検知センサ３１３によって客が検知されなくなった場合、レシート類の取り忘れが検出される（第２検出処理）。このように人検知センサ３１３が検知していた客が検知されなくなった場合、レシート類が取り忘れられている可能性が高いことを利用して、特定情報が印字されたレシート類の取り忘れを好適に抑制できる。
【００６７】
〔変形例〕
以上、一実施形態について説明したが、本発明は、上記実施形態に限られるものではなく、発明の趣旨を逸脱しない範囲で種々の変更が可能である。
【００６８】
上記実施形態では、レシート類に印字された情報の中に特定情報が含まれているとＣＰＵ３０１によって判定された時を起点として、ＣＰＵ３０１によって紙片検知部３０９ｂにおけるレシート類の検知状況が監視されると共に、図示しないタイマー等によって時間の計測が開始される例を挙げて説明したが、これに限定されない、例えば、
・支払処理に関連する情報を生成したとき
・支払処理に関連する情報の紙片への印字を開始したとき、
・レシート類が発行されたとき（出力されるレシート類を紙片検知部３０９ｂが検知したとき）
等を起点として、紙片検知部３０９ｂにおけるレシート類の検知状況の監視を開始してもよいし、タイマー等による時間の計測を開始してもよい。
【００６９】
また、上記実施形態又は変形例では、代金支払機３０が商品登録機２０に記憶された代金データを取得する例を挙げて説明したが、これに限定されない。商品登録機２０は、生成した代金データを代金支払機３０に送信するようにしてもよい。
【００７０】
また、上記実施形態又は変形例では、ストアコントローラ１０がＰＯＳシステム１における上位装置として代金データを保存したが、代金データを保存する機能を有していれば、ＰＯＳシステム１における上位装置として他の装置を用いることができる。
【００７１】
また、上記実施形態又は変形例では、商品登録機２０が代金データを生成したが、商品登録機２０によって実行された商品の登録処理に基づいてストアコントローラ１０又は代金支払機３０が代金データを生成するようにしてもよい。
【００７２】
以上説明した種々の実施形態及び変形例は、本発明の趣旨を逸脱しない範囲で種々、組み合わせられてもよい。
【符号の説明】
【００７３】
１…ＰＯＳシステム、２０…商品登録機、３０…代金支払機、３０５…表示部（報知部）、３０９ａ…発行部、３０９ｂ…紙片検知部、３１１…スピーカ（報知部）、３１２…サインポール（報知部）、３１３…人検知センサ（人検知部）、３１４…カメラ（人検知部）。
【図１】
2017027226.tif 000003
【図２】
2017027226.tif 000004
【図３】
2017027226.tif 000005
【図４】
2017027226.tif 000006
【図５】
2017027226.tif 000007
【図６】
2017027226.tif 000008
【図７】
2017027226.tif 000009
【図８】
2017027226.tif 000010